(57)【要約】【課題】手提げ用の取っ手を箱と一体に形成することができ、しかも組立て及び解体が容易な手提げ式箱の提供。【解決手段】底板２４、本体部前側板２９、本体部背側板３０、本体部左側板３１及び本体部右側板３２とを有する本体部２１と、天板６１、蓋部前側板６５、蓋部左側板６６及び蓋部右側板６７を有する蓋部２２とを備え、蓋部前側板６５及び本体部前側板２９に切れ目を入れることにより、本体部前側板２９及び蓋部前側板６５に対し垂直方向に引き起こし可能な手提げ用取っ手部３８，７３を形成し、本体部前側板２９及び蓋部前側板６５の手提げ用取っ手部３８，７３を引き起こし、本体部前側板２９の手提げ用取っ手部３８を、蓋部前側板６５の手提げ用取っ手部７３を引き起こすことにより形成される通し穴７５に通して両手提げ用取っ手部３８，７３同士を重ね合わせるようにした。【選択図】    図２
2004352259.tif 000002
【特許請求の範囲】
【請求項１】
四角形の底板と、該底板の四辺に折り目を介して一体に形成された本体部前側板、本体部背側板、本体部左側板及び本体部右側板を有する本体部と、
前記本体部背側板の底板とは反対側の縁部に折り目を介して一体に形成された天板と、該天板の前左右の縁部に折り目を介して一体に形成された蓋部前側板、蓋部左側板及び蓋部右側板を有する蓋部とを備え、
前記本体部前側板及び前記蓋部前側板に前記本体部前側板及び前記蓋部前側板に対し垂直方向に引き起こし可能な手提げ用取っ手部を形成し、
前記本体部前側板及び前記蓋部前側板の手提げ用取っ手部を引き起こし、該本体部前側板の手提げ用取っ手部を前記蓋部前側板に形成された通し穴に通して両手提げ用取っ手部同士を重ね合わせるようにしたことを特徴としてなる手提げ式箱。
【請求項２】
両手提げ用取っ手部は、同じ回動方向で引き起こせるように形成された請求項１に記載の手提げ式箱。
【請求項３】
前記蓋部前側板は、前記天板と折り目を介して連続された蓋部前外側板と、その基板とは反対側の縁部に折り目を介して一体に成形された蓋部前内側板とをもって構成され、前記蓋部前内側板を折り目より折り曲げて蓋部前外側板の内側面に重ねられ、
前記蓋部前内側板に手提げ用取っ手部及び通し穴を形成するとともに、前記蓋部前外側板に前記手提げ用取っ手部を引き出し可能な引き出し用窓を形成し、
該引き出し用窓が、その内側縁のいずれか一辺に折り目を介して一体に形成された被覆板を備え、該被覆板により前記引き出し用窓が立ち上げた前記両手提げ用取っ手部の厚み分を除いて閉鎖されるようにした請求項１又は２に記載の手提げ式箱。
【請求項４】
本体部前側板と本体部左側板の各側辺間を連結し、底板の隅を始点とした折り目が形成された本体部前左側板間連結板と、前記本体部前側板と本体部右側板の各側辺間を連結し、前記底板の隅を始点とした折り目が形成された本体部前右側板間連結板と、
蓋部前側板と蓋部左側板の各側辺間を連結し、天板の隅を始点とした折り目が形成された蓋部前左側板間連結板と、蓋部前側板と蓋部右側板の各側辺間を連結し、天板の隅を始点とした折り目が形成された蓋部前右側板間連結板と、
前記本体部背側板の側辺と、前記本体部左側板の側辺又は蓋部左側板の側辺間を連結し、底板又は天板の隅を始点とした折り目が形成された背左側板間連結板と、本体部背側板の側辺と、本体部右側板の側辺又は蓋部右側板の側辺間を連結し、底板又は天板の隅を始点とした折り目が形成された背右側板間連結板とを備え、
本体部前側板は、前記底板と折り目を介して連続された本体部前外側板と、該本体部前外側板の底板とは反対側の縁部に折り目を介して一体に成形された本体部前内側板とをもって構成され、前記本体部前内側板を折り目より折り曲げて本体部前外側板の内側面に重ねられ、
前記本体部左右側板及び蓋部左右側板をそれぞれ底板及び天板に重ねて折り畳むと共に、前記本体部前側板及び蓋部前側板をそれぞれ底板及び天板の延長方向に延長させた状態で全体形状を平板状となし、各側板を底板及び天板に対してい直角に立ち上げ、前記各前側板の縁部を各右側板又は左側板に係合させることによって箱状に組立てられるようにした請求項３に記載の手提げ式箱。
【発明の詳細な説明】
【０００１】
【発明の属する技術分野】
本発明は、主に衣類や靴等の包装や梱包に使用される手提げ式箱に関する。
【０００２】
【従来の技術】
従来、衣類等の包装・梱包用に図１３に示す如き、側部に手提げ用の取っ手を有する手提げ式箱が使用されている。
【０００３】
この手提げ式箱１は、四角形の底板２と、底板２の四辺より折り目を介して一体に形成された本体部前側板３、本体部背側板４、本体部左側板５及び本体部右側板６を有する本体部７と、本体部背側板４の底板２とは反対側の縁部に折り目を介して一体に形成された天板８と、天板の前左右の縁部に折り目を介して一体に形成された蓋部前側板９、蓋部左側板１０及び蓋部右側板１１とを有する蓋部１２とを備えており、本体部前側板３には、合成樹脂製の取っ手１３が両端の係止部１４をそれぞれ係止穴１５，１５に係止させることによって取り付けられ、蓋部前側板９には、その取っ手１３を引き出す為の引き出し穴１６が形成されている。
【０００４】
そして、本体部７に蓋部１２を被せ、引き出し穴１６より取っ手１３を引き出すことによって、箱１の側面に手提げ用の取っ手１３が形成されるとともに、蓋部１２が本体部７に対して開かないようになっている。
【０００５】
【発明が解決しようとする課題】
しかし、上述のような従来の技術では、箱を構成する本体部と取っ手とを別々に成形するようになっているため、製造や組み立てに手間がかかり、コストが嵩み、割高なものとなってしまうという問題があった。
【０００６】
また、箱を廃棄する際には、合成樹脂製の取っ手を取り外して不燃物として分別する必要があり、解体が煩雑になるという問題があった。
【０００７】
本発明は、このような従来の技術の状況を鑑み、手提げ用の取っ手を箱と一体に形成することができ、しかも組立て及び解体が容易な手提げ式箱の提供を目的とする。
【０００８】
【課題を解決するための手段】
上述の如き従来の問題を解決し、所期の目的を達成するための請求項１に係る手提げ式箱は、四角形の底板と、該底版の四辺に折り目を介して一体に形成された本体部前側板、本体部背側板、本体部左側板及び本体部右側板を有する本体部と、前記本体部背側板の底板とは反対側の縁部に折り目を介して一体に形成された天板と、該天板の前左右の縁部に折り目を介して一体に形成された蓋部前側板、蓋部左側板及び蓋部右側板を有する蓋部とを備え、前記本体部前側板及び前記蓋部前側板に前記本体部前側板及び前記蓋部前側板に対し垂直方向に引き起こし可能な手提げ用取っ手部を形成し、前記本体部前側板及び前記蓋部前側板の手提げ用取っ手部を引き起こし、該本体部前側板の手提げ用取っ手部を前記蓋部前側板に形成された通し穴に通して両手提げ用取っ手部同士を重ね合わせるようにしたことを特徴とする。
【０００９】
このように構成することによって、手提げ用取っ手部が箱と一体に形成され、コストを削減することができ、また、箱を廃棄する際に、可燃物と不燃物とに分別する必要がなく、解体も容易に行うことができる。
【００１０】
請求項２に記載の発明は、請求項１の構成に加え、両手提げ用取っ手部は、同じ回動方向で引き起こせるように形成されたことを特徴とする。
【００１１】
このように構成することにより、本体部に蓋部を被せた状態のまま両手提げ用取っ手部を垂直方向に引き起こすことができる。
【００１２】
請求項３に記載の発明は、請求項１又は２の構成に加え、前記蓋部前側板は、前記天板と折り目を介して連続された蓋部前外側板と、その基板とは反対側の縁部に折り目を介して一体に成形された蓋部前内側板とをもって構成され、前記蓋部前内側板を折り目より折り曲げて蓋部前外側板の内側面に重ねられ、前記蓋部前内側板に手提げ用取っ手部及び通し穴を形成するとともに、前記蓋部前外側板に前記手提げ用取っ手部を引き出し可能な引き出し用窓を形成し、該引き出し用窓が、その内側縁のいずれか一辺に折り目を介して一体に形成された被覆板を備え、該被覆板により前記引き出し用窓が立ち上げた前記両手提げ用取っ手部の厚み分を除いて閉鎖されるようにしたことを特徴とする。
【００１３】
このように構成することによって、手提げ用取っ手部の引き出しが容易に行えると共に、手提げ用取っ手部を引き出した後の箱の外観を美麗なものとすることができ、更には、被覆板の縁部で取っ手部を押さえ、簡易的に箱をロックし、蓋部が本体部に対して開き難くする。
【００１４】
請求項４に記載の発明は、請求項３の構成に加え、本体部前側板と本体部左側板の各側辺間を連結し、底板の隅を始点とした折り目が形成された本体部前左側板間連結板と、前記本体部前側板と本体部右側板の各側辺間を連結し、前記底板の隅を始点とした折り目が形成された本体部前右側板間連結板と、蓋部前側板と蓋部左側板の各側辺間を連結し、天板の隅を始点とした折り目が形成された蓋部前左側板間連結板と、蓋部前側板と蓋部右側板の各側辺間を連結し、天板の隅を始点とした折り目が形成された蓋部前右側板間連結板と、前記本体部背側板の側辺と、前記本体部左側板の側辺又は蓋部左側板の側辺間を連結し、底板又は天板の隅を始点とした折り目が形成された背左側板間連結板と、本体部背側板の側辺と、本体部右側板の側辺又は蓋部右側板の側辺間を連結し、底板又は天板の隅を始点とした折り目が形成された背右側板間連結板とを備え、本体部前側板は、前記底板と折り目を介して連続された本体部前外側板と、該本体部前外側板の底板とは反対側の縁部に折り目を介して一体に成形された本体部前内側板とをもって構成され、前記本体部前内側板を折り目より折り曲げて本体部前外側板の内側面に重ねられ、前記本体部左右側板及び蓋部左右側板をそれぞれ底板及び天板に重ねて折り畳むと共に、前記本体部前側板及び蓋部前側板をそれぞれ底板及び天板の延長方向に延長させた状態で全体形状を平板状となし、各側板を底板及び天板に対してい直角に立ち上げ、前記各前側板の縁部を各右側板又は左側板に係合させることによって箱状に組立てられるようにしたことを特徴とする。
【００１５】
このように構成することによって、箱、即ち本体部及び蓋部の組み立てが容易に行え、箱の組み立て作業の効率が向上する。
【００１６】
【発明の実施の形態】
次に、本発明に係る手提げ式箱の実施の形態を図について説明する。
【００１７】
図１、図２は本発明に係る手提げ式箱の一例を示し、符号２０は手提げ式箱である。
【００１８】
手提げ式箱２０は、ボール紙等の紙製の板状材を図３に示す展開図のように打ち抜き、これを折曲加工することにより形成されている。
【００１９】
この手提げ式箱２０は、内部に衣料品等の収容物を収容する本体部２１と本体部２１に被さる蓋部２２とを備えるとともに、その一側部に手提げ用の取っ手２３を備え、持ち運びができるようになっている。
【００２０】
本体部２１は、四角形の底板２４と、底板の四辺、即ち前背左右の縁部に折り目２５〜２８を介して一体に形成された本体部前側板２９、本体部背側板３０、本体部左側板３１及び本体部右側板３２を備えている。
【００２１】
本体部前側板２９は、底板２４と折り目２５を介して連続した本体部前外側板３３と、その折り目２５とは反対側の縁部に折り目３４を介して一体に形成された本体部前内側板３５とをもって構成され、折り目３４より折り曲げることにより、本体部前内側板３５を本体部前外側板３３に重ね合わせ、本体部前内側板３５の内側面中央部分を本体部前外側板３３の内側面に接着剤により固着させている。
【００２２】
本体部前外側板３３には、平行配置のコ字状の切れ目３６，３７を入れることにより、手提げ用取っ手部３８が形成され、本体部前外側板３３に対し折り目３９，３９より折り曲げることによって、手提げ用取っ手部３８を垂直方向に引き起こすことができるようになっている。尚、図中符号４０は、手提げ用取っ手部３８を引き起こす際に手提げ用取っ手部の内縁部に指が係りやすくするために用いる切欠である。
【００２３】
本体部前内側板３５には、その側縁基端側より先端縁側に斜めに向けた折り目４１，４１を形成して該折り目４１より折り畳まれる逃がし片部４２，４２を備えている。
【００２４】
本体部前内側板３５の両側縁、即ち、逃がし片部４２の側縁には、本体部左側板３１又は本体部右側板３２に対し係合される係合突起４３，４３が一体に形成されている。
【００２５】
本体部背側板３０は、底板２４と折り目２６を介して連続して形成されている。
【００２６】
本体部左側板３１は、底板２４と折り目２７を介して連続した本体部左外側板４４と、本体部左外側板４４の折り目２７とは反対側の縁部に折り目４５を介して一体に形成された本体部左内側板４６とをもって構成され、折り目４５より折り曲げることにより、本体部左内側板４６を本体部左外側板４４に重ね合わせ、本体部左内側板４６の内側面中央部分を本体部左外側板４４の内側面に接着剤により固着させている。尚、本体部左内側板４６の前側縁には、本体部前内側板３５の側縁に形成された係合突起４３と互いに係合する係合用切欠４６ａが形成されている。
【００２７】
本体部右側板３２は、底板２４と折り目２８を介して連続した本体部右外側板４７と、本体部右外側板４７の折り目２８とは反対側の縁部に折り目４８を介して一体に形成された本体部右内側板４９とをもって構成され、折り目４８より折り曲げることにより、本体部右内側板４９を本体部右外側板４７に重ね合わせ、本体部右内側板４９の内側面中央部分を本体部右外側板４７の内側面に接着剤により固着させている。尚、本体部右内側板４９の前側縁には、本体部前内側板３５の側縁に形成された係合突起４３と互いに係合する係合用切欠４９ａが形成されている。
【００２８】
また、本体部前外側板３３と本体部左外側板４４の各側辺部が本体部前左側板間連結板５０により連結され、本体部前外側板３３と本体部右外側板４７の各側辺部が本体部前右側板間連結板５１により連結され、本体部背側板３０と本体部左外側板４４の各側辺部が背左側板間連結板５２により連結され、本体部背側板３０と本体部右側板４７の各側辺部が背右側板間連結板５３により連結されている。
【００２９】
この本体部前左側板間連結板５０、本体部前右側板間連結板５１、背左側板間連結板５２及び背右側板間連結板５３は、それぞれ折り目５４を介して固定部５５と可動部５６とから構成され、固定部５５は、接着剤をもって本体部前外側板３３又は本体部背側板３０の内側面に接着されるようになっている。尚、背左側板間連結板５２及び背右側板間連結板５３の固定部５５は、必ずしも接着しなくてもよい。
【００３０】
尚、組み立てられた際に、本体部前左側板間連結板５０及び本体部前右側板間連結板５１の固定部５５と可動部５６とが重なり合った状態で、本体部前外側板３３と本体部前内側板３５との間に挟まれ、押さえられるようになっている。
【００３１】
蓋部２２は、本体部背側板３０の底板２４とは反対側の縁部に二重折り目６０を介して一体に形成された四角形の天板６１と、天板６１の前左右の縁部に折り目６２〜６４を介して一体に形成された蓋部前側板６５、蓋部左側板６６及び蓋部右側板６７を備えている。
【００３２】
蓋部前側板６５は、天板６１と折り目６２を介して連続した蓋部前外側板６８と、その折り目６２とは反対側の縁部に折り目６９を介して一体に形成された蓋部前内側板７０とをもって構成され、折り目６９より折り曲げることにより、蓋部前内側板７０を蓋部前外側板６８に重ね合わせ、蓋部前内側板７０の内側面中央部分を蓋部前外側板６８の内側面に接着剤により固着させている。
【００３３】
蓋部前内側板７０の略中央部分には、四角形の通し穴７１が形成され、この通し穴７１の一方の内縁に折り目７２，７２を介して手提げ用取っ手部７３が蓋部前内側板７０と一体に形成されている。この手提げ用取っ手部７３は、蓋部内側板７０に対して折り目７２，７２より折り曲げることにより垂直方向に引き起こすことができるようになっている。
【００３４】
手提げ用取っ手部７３は、本体部前内側板の手提げ用取っ手部３８と略同形状に形成され、図４に示すように、本体部２１に蓋部２２を被せた際に、両手提げ用取っ手部３８，７３は互いに重なり合うとともに、同じ回動方向で引き起こすことができるように形成されている。
【００３５】
また、被覆板８１を開き、手提げ用取っ手部７３を引き起こすことによって、通し穴７１が開口した状態となり、この通し穴７１を通して本体部前側板の手提げ用取っ手部３８を垂直方向に引き起こすことができ、両手提げ用取っ手部３８，７３を重ね合わせて取っ手２３が形成されるようになっている。
【００３６】
また、蓋部前内側板７０には、その側縁基端側より先端縁側に斜めに向けた折り目７６，７６を形成して該折り目７６より折り畳まれる逃がし片部７７，７７を備えている。
【００３７】
蓋部前内側板７０の両側縁、即ち、逃がし片部７７，７７の側縁には、蓋部左側板６６又は蓋部右側板６７に対し係合される係合突起７８が形成されている。
【００３８】
蓋部前外側板６８には、手提げ用取っ手部７３の位置に合わせて開口した引き出し用窓７９が形成され、その内側縁の一辺には折り目８０を介して被覆板８１が一体に形成されている。
【００３９】
引き出し用窓７９は、コ字状に切れ目８１ｂを入れることにより形成され、この切れ目８１ｂを入れることにより、引き出し用窓７９の内側縁に折り目８０を介して被覆板８１が形成される。尚、符号８１ａは、引き起こし用の切欠である。
【００４０】
また、被覆板８１の折り目８０とは反対側の縁部と引き出し用窓７９の内側縁との間には、スリット状の間隙が形成されている。
【００４１】
この引き出し用窓７９は、被覆板８１を折り目８０より折り曲げて立ち上げることにより、手提げ用取っ手部３８，７３を引き起こして外側に引き出すことができ、手提げ用取っ手部３８，７３を引き出した後は、被覆板８１により引き出された両手提げ用取っ手部３８，７３の厚み分を除いて閉鎖できるようになっている。
【００４２】
蓋部左側板６６は、天板６１と折り目６３を介して連続した蓋部左外側板８２と、蓋部左外側板８２の折り目６３とは反対側の縁部に折り目８３を介して一体に形成された蓋部左内側板８４とをもって構成され、折り目８３より折り曲げることにより、蓋部左内側板８４を蓋部左外側板８２に重ね合わせ、蓋部左内側板８４の内側面中央部分を蓋部左外側板８２の内側面に接着剤により固着させている。尚、蓋部左内側板８４の前側縁には、蓋部前内側板７０の側縁に形成された係合突起７８と互いに係合する係合用切欠８４ａが形成されている。
【００４３】
蓋部右側板６７は、天板６１と折り目６４を介して連続した蓋部右外側板８５と、蓋部右外側板８５の折り目６４とは反対側の縁部に折り目８６を介して一体に形成された蓋部右内側板８７とをもって構成され、折り目８６より折り曲げることにより、蓋部右内側板８７を蓋部右外側板８５に重ね合わせ、蓋部右内側板８７の内側面中央部分を蓋部右外側板８５の内側面に接着剤により固着させている。尚、蓋部右内側板８７の前側縁には、蓋部前内側板７０の側縁に形成された係合突起７８と互いに係合する係合用切欠８７ａが形成されている。
【００４４】
尚、蓋部左外側板８２及び蓋部右外側板８５の背面側縁部は、天板側から内側板側に向けてテーパ状にカットされているが、このカットは、必ずしも必要ではなく、箱のデザイン等に合わせて適宜形成するようになっている。
【００４５】
また、蓋部前外側板６８と蓋部左外側板８２の各側辺部が蓋部前左側板間連結板８８により連結され、蓋部前外側板６８と蓋部右外側板８５の各側辺部が蓋部前右側板間連結板８９により連結されている。
【００４６】
この蓋部前左側板間連結板８８及び蓋部前右側板間連結板８９は、それぞれ折り目９０を介して固定部９１と可動部９２とから構成され、固定部９１は、接着剤をもって蓋部前外側板６８の内側面に接着されるようになっている。
【００４７】
尚、組み立てられた際に、各蓋部前左側板間連結板８８及び蓋部前右側板間連結板８９の固定部９１と可動部９２とが重なり合った状態で、蓋部前外側板６８と蓋部前内側板７０との間に挟まれ、押さえられるようになっている。
【００４８】
次に、手提げ式箱２０の組み立て方法について図５〜図８により説明する。
【００４９】
まず、図５（ａ）に示すように、本体部左内側板４６及び本体部右内側板４９を折り目４５，４８より内側に折り曲げて、それぞれ本体部左外側板４４、本体部右外側板４７に重ね合わせ、ホットメルト等の接着剤により貼着させ、本体部左側板３１及び本体部右側板３２を形成する。
【００５０】
次に、図５（ｂ）に示すように、折り目２７，２８に沿って本体部左側板３１及び本体部右側板３２を内側に折り、そのとき一緒に折られる各連結板５０，５１，５２，５３の固定部５５を本体部前外側板３３、本体部背側板３０の重なり合った部分に接着剤をもって貼着させる。こうすることにより、本体部前側板２９及び本体部背側板３０を立ち上げると貼着された連結板５０，５１，５２，５３に連動して本体部左側板３１及び本体部右側板３２も立ち上がるようになっている。
【００５１】
そして、図５（ｃ）に示すように、本体部前内側板３５を折り目３４に沿って内側に折り、本体部前外側板３３に重ね合わせ、重なり合った本体部前内側板３５と本体部前外側板３３の中央部分を貼着させ、本体部前側板２９を形成する。
【００５２】
一方、蓋部２２についても同様に行い、まず、図６（ｄ）に示すように、蓋部左内側板８４及び蓋部右内側板８７を折り目８３，８６より内側に折り曲げて、蓋部左外側板８２、蓋部右外側板８５に重ね、ホットメルト等の接着剤により貼着させ、蓋部左側板６６及び蓋部右側板６７を形成する。
【００５３】
次に、図６（ｅ）に示すように、折り目６３，６４に沿って蓋部左側板６６及び蓋部右側板６７を内側に折り曲げ、その時一緒に折られる蓋部前左側板間連結板８８及び蓋部前右側板間連結板８９の固定部９１を蓋部前外側板６８の重なり合った部分に接着剤をもって貼着させる。こうすることにより、蓋部前側板６５を立ち上げると、貼着された蓋部前左側板間連結板８８及び蓋部前右側板間連結板８９に連動して蓋部左側板６６及び蓋部右側板６７も立ち上がるようになっている。
【００５４】
そして、図６（ｆ）に示すように、蓋部前内側板７０を折り目６９に沿って内側に折り、蓋部前外側板６８に重ね合わせ、重なり合った蓋部前内側板７０と蓋部前外側板６８の中央部分を貼着させ、蓋部前側板６５を形成する。
【００５５】
そして、図６（ｇ）に示すように、蓋部２２を蓋部左側板６６及び蓋部右側板６７を折り畳んだ状態で、折り目６０より折り曲げて、本体部２１に重ね合わせることによって、平板状の組立中間部材Ａとなる。
【００５６】
この状態であれば、平板状であるので、保管や運搬の際に嵩張らず効率がよい。
【００５７】
次に、この組立中間部材Ａを図７（ｈ）に示すように、蓋部２２を折り目６０より折り曲げて広げ、本体部前側板２９及び本体部背側板３０を立ち上げると、各連結５０，５１，５２，５３が連動して、本体部左側板３１及び本体部右側板３２も立ち上がる。このとき逃がし片部４２，４２を立ち上げておくことにより、連結板５０，５１，５２，５３が本体部前内側板３５に邪魔されずに好適に作動する。
【００５８】
そして、本体部前側板２９、本体部背側板３０、本体部左側板３１及び本体部右側板３２を底板２４に対して垂直に立ち上げたら、逃がし片部４２，４２を元に戻して、本体部前内側板３５の各側縁の係合突起４３，４３を本体部左側板３１内面の係合用切欠４６ａ、本体部右側板３２内面の係合用切欠４９ａにそれぞれ係合させ、本体部２１が形成される。
【００５９】
同様に、蓋部前側板６５を立ち上げると、蓋部前左側板間連結板８８及び蓋部前右側板間連結板８９が連動して、蓋部左側板６６及び蓋部右側板６７も立ち上がる。このとき逃がし片部７７，７７を立ち上げておくことにより、蓋部前左側板間連結板８８及び蓋部前右側板間連結板８９が蓋部前内側板７０に邪魔されずに好適に作動する。
【００６０】
図７（ｊ）に示すように、蓋部前側板６５、蓋部左側板６６及び蓋部右側板６７を天板６１に対して垂直に立ち上げたら、逃がし片部７７，７７を元に戻して、蓋部前内側板７０の各側縁の係合突起７８，７８を蓋部左側板６６内面の係合用切欠８４ａ、及び蓋部右側板６７内面の係合用切欠８７ａにそれぞれ係合させ、蓋部２２が形成される。
【００６１】
そして、図７（ｋ）に示すように、蓋部２２を本体部２１に被せて、箱Ｂの組み立てが完了する。
【００６２】
この箱Ｂの状態では、通常の箱として使用することができ、物を収容した状態で積み重ねたり、整理棚等に収納したりできる。
【００６３】
そして、この箱を持ち運びたい時には、図８（ｌ）に示すように、本体部２１に蓋部２２を被せた状態のまま、蓋部前外側板６８の被覆板８１を折り目８０より折り曲げて立ち上げ、引き出し用窓７９を開口した状態とする。
【００６４】
次に、図８（ｍ）に示すように、蓋部前内側板７０の手提げ用取っ手部７３を引き起こすとともに、通し穴７１を通して本体部外側板３３の手提げ用取っ手部３８を引き起こし、両手提げ用取っ手部３８，７３を重ね合わせる。
【００６５】
最後に、被覆板８１を元に戻し、重なり合った手提げ用取っ手部３８，７３が外側に突出するのに必要な幅、即ち、両手提げ用取っ手部３８，７３を重ね合わせた厚み分を除いて、引き出し用窓７９を閉鎖する。
【００６６】
このようにすることにより、箱の側面に取っ手２３が形成され、持ち運びが可能となる。
【００６７】
また、手提げ用取っ手部３８が通し穴７１を通して手提げ用取っ手部７３に重なり合い、被覆板８１の縁部で取っ手２３、即ち重なり合った手提げ用取っ手部３８，７３を押さえ、取っ手２３を補強するとともに、簡易的に箱をロックし、蓋部２２が本体部２１に対して開かないようにする。
【００６８】
更には、被覆板８１によって通し穴７１を覆い、外観を美しく仕上げている。
【００６９】
また、この手提げ式箱２０は、上述の図８（ｎ）〜図７（ｋ）に示す順に手提げ用取っ手部３８，７３及び被覆板８１を元の状態に戻せば、手提げ用の取っ手２３が無い状態の箱Ｂとして再度使用することができる。
【００７０】
更に、箱Ｂの分解に際しては、逃がし片部７７，７７を立ち上げ、そのまま蓋部前側板６５を寝かせると、各連結板８８，８９に連動して蓋部左側板６６及び蓋部右側板６７も折り畳んだ状態となり、逃がし片部４２，４２を立ち上げ、そのまま本体部前側板２９及び本体部背側板３０を寝かせると、各連結板５０，５１，５２，５３に連動して本体部左側板３１及び本体部右側板３２も折り畳んだ状態となる。即ち、図７（ｋ）〜図６（ｇ）に示す順に作業を行うことによって中間組立部材Ａと同じ状態になる。
【００７１】
また、上述の実施例では、両手提げ用取っ手部３８，７３が互いに重なり合い、同じ回動方向で引き起こすことができるように形成された例について説明したが、図９に示す手提げ式箱１００のように両手提げ用取っ手部１０１，１０２を互いに異なる回動方向で引き起こすことができるように形成してもよい。尚、上述の実施例と同一の部分には同一符号を付して説明を省略する。
【００７２】
手提げ式箱１００は、ボール紙等の紙製の板状材を図１０に示す展開図のように打ち抜き、これを折曲加工することにより手提げ用取っ手部１０１，１０２に関わる部分を除いて手提げ式箱２０と同様に形成されている。
【００７３】
手提げ用取っ手部１０１は、本体部前外側板３３に平行配置のコ字状の切れ目１０３，１０４を入れることにより形成され、本体部前外側板３３に対し折り目１０５，１０５より折り曲げることによって、手提げ用取っ手部１０１を垂直方向に引き起こすことができるようになっている。
【００７４】
一方、手提げ用取っ手部１０２は、蓋部前内側板７０に平行配置のコ字状の切れ目１０６，１０７を入れることにより形成され、蓋部前内側板７０に対し折り目１０８，１０８より折り曲げることによって、手提げ用取っ手部１０２を垂直方向に引き起こすことができるようになっている。
【００７５】
また、手提げ用取っ手部１０２を引き起こすことによって、蓋部前内側板７０には、通し穴１０９が形成され、図１１に示すように、この通し穴１０９に本体部前側板の手提げ用取っ手部１０１を通して両手提げ用取っ手部１０１，１０２を重ね合わせることができるようになっている。
【００７６】
この手提げ式箱１００は、途中図６，図７に示す手順と同様に組み立てられ、この箱を持ち運びたい時に、図１２（ａ）に示すように、蓋部２２を開き、蓋部前外側板６８の被覆板８１を折り目８０より折り曲げて立ち上げ、引き出し用窓７９を開口した状態とし、図１２（ｂ）に示すように、蓋部前内側板７０の手提げ用取っ手部１０２を立ち上げ、引き出し用窓７９より外側に引き出す。
【００７７】
このようにすると、手提げ用取っ手部１０２を立ち上げることにより、蓋部前内側板７０には、コ字状の通し穴１０９が開口し、また、この通し穴１０９は、被覆板８１が立ち上げた状態にあるので、外側に露出した状態になっている。
【００７８】
一方、本体部外側板３３の手提げ用取っ手部１０１を立ち上げる。
【００７９】
そして、図１２（ｃ）に示すように、蓋部２２を本体部２１に被せるとともに、通し穴１０９に本体部の手提げ用取っ手部１０１を通して、蓋部の手提げ用取っ手部１０２と重ね合わせる。
【００８０】
最後に、被覆板８１を元に戻し、重なり合った手提げ用取っ手部１０１，１０２が外側に突出するのに必要な幅、即ち、両手提げ用取っ手部１０１，１０２を重ね合わせた厚み分を除いて、引き出し用窓７９を閉鎖する。
【００８１】
このようにすることにより、箱の側面に取っ手２３が形成され、持ち運びが可能となり、また、手提げ用取っ手部１０１が通し穴１０９を通して手提げ用取っ手部１０２に重なり合っているので、蓋部２２が本体部２１に対して開かないようになり、また、被覆板８１によって通し穴１０９を覆い、外観を美しく仕上げている。
【００８２】
尚、手提げ用取っ手部の形状は、上述の実施例のようにコ字形に形成したものに限定されず、一方の手提げ用取っ手部を他方の通し穴を通して手提げ用取っ手同士を重ね合わせられる形状であればよい。
【００８３】
【発明の効果】
上述のように、本発明に係る手提げ式箱は、本体部前側板及び蓋部前側板に、垂直方向に引き起こし可能な手提げ用取っ手部を形成し、本体部前側板の手提げ用取っ手部を、蓋部前側板の通し穴に通して両手提げ用取っ手部同士を重ね合わせるようにしたことによって、手提げ用の取っ手が箱と一体に形成され、コストを削減することができ、また、箱を廃棄する際に、可燃物と不燃物とに分別する必要がなく、解体も容易に行うことができる。
【００８４】
更に、本体部前側板の手提げ用取っ手部を、蓋部前側板の通し穴に通して両手提げ用取っ手部同士を重ね合わせることによって、本体部に対して蓋部が開かないようにし、安定した状態で箱を持ち運びすることができる。
【００８５】
蓋部前内側板に手提げ用取っ手部を形成するとともに、蓋部前外側板に引き出し用窓を形成し、その引き出し用窓が被覆板を備え、被覆板により引き出し用窓が両手提げ用取っ手部の厚み分を除いて閉鎖されるようにしたことによって、手提げ用取っ手部の引き出しが容易に行えると共に、閉鎖した被覆板の縁部で取っ手を押さえ、取っ手を補強するとともに、簡易的に箱をロックし、蓋部が本体部に対して開かないようにし、更には、手提げ用取っ手部を引き出した後の箱の外観を美麗なものとすることができる。
【００８６】
また、請求項３の構成に加えて、本体部前左側板間連結板と、本体部前右側板間連結板と、蓋部前左側板間連結板と、蓋部前右側板間連結板と、背左側板間連結板と、背右側板間連結板とを備え、本体部前側板は、本体部前外側板と、本体部前内側板とをもって構成され、本体部左右側板及び蓋部左右側板をそれぞれ底板及び天板に重ねて折り畳むと共に、本体部前側板及び蓋部前側板をそれぞれ底板及び天板の延長方向に延長させた状態で全体形状を平板状となし、各側板を底板及び天板に対してい直角に立ち上げ、前記各前側板の縁部を各右側板又は左側板に係合させることによって箱状に組み立てられるようにしたことによって、箱、即ち本体部及び蓋部の組み立てが容易に行え、箱の組み立てコストを削減することができる。
【００８７】
更に、使用しない時には、平板状に折り畳むことができ、保管や輸送の際にスペースを取らず効率がよい。
【図面の簡単な説明】
【図１】本発明に係る手提げ式箱の一例を示す斜視図である。
【図２】同上の手提げ式箱の蓋部を開いた状態を示す斜視図である。
【図３】同上の手提げ式箱の展開図である。
【図４】同上の手提げ用の取っ手を示す断面図である。
【図５】手提げ式箱の本体部の中間組立工程を示す斜視図である。
【図６】手提げ式箱の蓋部の中間組立工程を示す斜視図である。
【図７】同上の組立中間部材から箱形状への組立工程を示す斜視図である。
【図８】同上の手提げ式箱の手提げ用取っ手を形成する工程を示す斜視図である。
【図９】本発明に係る手提げ式箱の他の一例を示す斜視図である。
【図１０】同上の手提げ式箱の展開図である。
【図１１】同上の手提げ用の取っ手を示す断面図である。
【図１２】同上の手提げ式箱の手提げ用取っ手を形成する工程を示す斜視図である。
【図１３】従来の手提げ用取っ手を有する箱を示す斜視図である。
【符号の説明】
Ａ  組立中間部材
Ｂ  箱（取っ手のない状態）
２０  手提げ式箱
２１  本体部
２２  蓋部
２３  取っ手
２４  底板
２５，２６，２７，２８  折り目
２９  本体部前側板
３０  本体部背側板
３１  本体部左側板
３２  本体部右側板
３３  本体部前外側板
３４  折り目
３５  本体部前内側板
３６，３７  切れ目
３８  手提げ用取っ手部
３９  折り目
４０  切欠
４１  折り目
４２  逃がし片部
４３  係合突起
４４  本体部左外側板
４５  折り目
４６  本体部左内側板
４６ａ  係合用切欠
４７  本体部右外側板
４８  折り目
４９  本体部右内側板
４９ａ  係合用切欠
５０  本体部前左側板間連結板
５１  本体部前右側板間連結板
５２  背左側板間連結板
５３  背右側板間連結板
５４  折り目
５５  固定部
５６  可動部
６０  折り目
６１  天板
６２，６３，６４  折り目
６５  蓋部前側板
６６  蓋部左側板
６７  蓋部右側板
６８  蓋部前外側板
６９  折り目
７０  蓋部前内側板
７１  通し穴
７２  折り目
７３  手提げ用取っ手部
７６  折り目
７７  逃がし片部
７８  係合突起
７９  引き出し用窓
８０  折り目
８１  被覆板
８１ａ  切欠
８１ｂ  切れ目
８２  蓋部左外側板
８３  折り目
８４  蓋部左内側板
８４ａ  係合用切欠
８５  蓋部右外側板
８６  折り目
８７  蓋部右内側板
８７ａ  係合用切欠
８８  蓋部前左側板間連結板
８９  蓋部前右側板間連結板
９０  折り目
９１  固定部
９２  可動部
１００  手提げ式箱
１０１，１０２  手提げ用取っ手部
１０３，１０４  切れ目
１０５  折り目
１０６，１０７  切れ目
１０８  折り目
１０９  通し穴
【図１】
2004352259.tif 000003
【図２】
2004352259.tif 000004
【図３】
2004352259.tif 000005
【図４】
2004352259.tif 000006
【図５】
2004352259.tif 000007
【図６】
2004352259.tif 000008
【図７】
2004352259.tif 000009
【図８】
2004352259.tif 000010
【図９】
2004352259.tif 000011
【図１０】
2004352259.tif 000012
【図１１】
2004352259.tif 000013
【図１２】
2004352259.tif 000014
【図１３】
2004352259.tif 000015